(57)【要約】【課題】電線の結線作業の作業性向上を図る。【解決手段】器具本体１０は、造営面に取り付けられる底壁１１０と、底壁１１０の前方に配置される蓋１２と、底壁１１０の周縁と蓋１２の周縁をつなぐ上側壁１１１、下側壁１１２、左側壁１１３及び右側壁１１４とを有する。底壁１１０は、常用電源９と常用点灯装置５及び非常用点灯ブロック６をそれぞれ電気的に接続するための電線１７が導入される電線孔１１６を有する。第１ＬＥＤ３０は、蓋１２に取り付けられる。常用点灯装置５は、蓋１２の後面に取り付けられる。非常用点灯ブロック６は、器具本体１０の前後方向から見て常用点灯装置５と重なるように器具本体１０に収容されている。電線孔１１６は、底壁１１０において、器具本体１０の前後方向から見て常用点灯装置５及び非常用点灯ブロック６と重ならない位置に設けられている。【選択図】        図４
2020173994.tif 000002
【特許請求の範囲】
【請求項１】
第１の光源と、
第２の光源と、
前記第１の光源を点灯させる第１の点灯装置と、
前記第２の光源を点灯させる第２の点灯装置と、
前記第２の光源、前記第１の点灯装置及び前記第２の点灯装置を収容する器具本体と、
を備え、
前記器具本体は、
造営面に取り付けられる底壁と、
前記底壁の前方に配置される前壁と、
前記底壁の周縁と前記前壁の周縁をつなぐ一つ以上の側壁と、
を有し、
前記底壁は、外部の電源と前記第１の点灯装置及び前記第２の点灯装置をそれぞれ電気的に接続するための電線が導入される電線孔を有し、
前記第１の光源は、前記前壁に取り付けられ、
前記第１の点灯装置は、前記前壁の後面に取り付けられ、
前記第２の点灯装置は、前記器具本体の前後方向から見て前記第１の点灯装置と重なるように前記器具本体に収容されており、
前記電線孔は、前記底壁において、前記器具本体の前後方向から見て前記第１の点灯装置及び前記第２の点灯装置と重ならない位置に設けられている、
照明器具。
【請求項２】
前記第１の光源は、前記前壁の前面に取り付けられている、
請求項１記載の照明器具。
【請求項３】
前記第１の点灯装置は、第１のプリント回路と、前記第１のプリント回路を収容する第１のケースとを有し、
前記第２の点灯装置は、第２のプリント回路と、前記第２のプリント回路を収容する第２のケースとを有し、
前記第１のケース及び前記第２のケースはそれぞれ箱状に形成されており、
前記第１のケースと前記第２のケースは、互いの長手方向をそろえるように前記器具本体に収容されている、
請求項１又は２記載の照明器具。
【請求項４】
前記器具本体に収容され、かつ、前記第２の点灯装置を介して前記第２の光源に給電する蓄電装置を備え、
前記蓄電装置は、前記底壁において、前記前後方向から見て、前記電線孔を挟んで前記第２の点灯装置と隣り合う位置に配置されている、
請求項１〜３のいずれか１項に記載の照明器具。
【請求項５】
前記第２の光源及び前記第２の点灯装置が前面に取り付けられる取付板を備え、
前記取付板は、前記底壁に取り付けられる、
請求項１〜４のいずれか１項に記載の照明器具。
【発明の詳細な説明】
【技術分野】
【０００１】
本開示は、照明器具に関し、より詳細には、二種類の光源と、各種類の光源をそれぞれ個別に点灯させる二種類の点灯装置を備える照明器具に関する。
【背景技術】
【０００２】
従来例として特許文献１記載の非常用照明器具を例示する。特許文献１記載の非常用照明器具（以下、従来例という。）は、ＬＥＤユニット及びハロゲンランプの二種類の光源と、ＬＥＤユニットを点灯させる点灯装置及びハロゲンランプを点灯させる点灯回路（点灯装置）の二種類の点灯装置とを備えている。ＬＥＤユニットを点灯させる点灯装置は、商用電源から供給される電力（常用電力）でＬＥＤユニットを点灯させる。ハロゲンランプを点灯させる点灯回路は、二次電池から供給される電力（非常用電力）でハロゲンランプを点灯させる。
【０００３】
従来例は、前面が開口した箱体からなる器具本体を備える。器具本体の内部にはＬＥＤユニットの一部（発光部）、二種類の点灯装置、ハロゲンランプ、二次電池が収納される。なお、器具本体の前面は、ＬＥＤユニットを構成する反射板によって塞がれる。
【先行技術文献】
【特許文献】
【０００４】
【特許文献１】特開２０１２−１７４４８２号公報
【発明の概要】
【発明が解決しようとする課題】
【０００５】
ところで、上記従来例では、ＬＥＤユニットの発光部、ハロゲンランプ、点灯装置、点灯回路及び二次電池などが、器具本体内において器具本体の底面（背面）と平行に並ぶように収納されている。そのため、従来例は、器具本体の底面の穴から引き込まれた電線（商用電源と点灯装置及び点灯回路を電気的に接続するための電線）を配線するためのスペースが狭いので、電線の結線作業の作業性向上が望まれていた。
【０００６】
本開示の目的は、電線の結線作業の作業性向上を図ることができる照明器具を提供することである。
【課題を解決するための手段】
【０００７】
本開示の一態様に係る照明器具は、第１の光源と、第２の光源と、前記第１の光源を点灯させる第１の点灯装置と、前記第２の光源を点灯させる第２の点灯装置と、前記第２の光源、前記第１の点灯装置及び前記第２の点灯装置を収容する器具本体とを備える。前記器具本体は、造営面に取り付けられる底壁と、前記底壁の前方に配置される前壁と、前記底壁の周縁と前記前壁の周縁をつなぐ一つ以上の側壁とを有する。前記底壁は、外部の電源と前記第１の点灯装置及び前記第２の点灯装置をそれぞれ電気的に接続するための電線が導入される電線孔を有する。前記第１の光源は、前記前壁に取り付けられる。前記第１の点灯装置は、前記前壁の後面に取り付けられる。前記第２の点灯装置は、前記器具本体の前後方向から見て前記第１の点灯装置と重なるように前記器具本体に収容されている。前記電線孔は、前記底壁において、前記器具本体の前後方向から見て前記第１の点灯装置及び前記第２の点灯装置と重ならない位置に設けられている。
【発明の効果】
【０００８】
本開示の照明器具は、電線の結線作業の作業性向上を図ることができるという効果がある。
【図面の簡単な説明】
【０００９】
【図１】図１は、本開示の実施形態に係る照明器具の斜視図である。
【図２】図２は、同上の照明器具の縦断面図である。
【図３】図３は、同上の照明器具の横断面図である。
【図４】図４は、同上の照明器具の蓋を外した状態の正面図である。
【図５】図５は、同上の照明器具の回路ブロック図である。
【図６】図６は、変形例の照明器具の一部破断した正面図である。
【発明を実施するための形態】
【００１０】
以下、本開示の実施形態に係る照明器具について図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１１】
実施形態に係る照明器具１（以下、照明器具１という。）は、非常灯及び階段通路誘導灯を兼用する非常用照明器具である。照明器具１は、例えば、集合住宅の共用部の廊下及び階段の壁面に直付けされる。ただし、本開示の照明器具は非常用照明器具に限定されない。
【００１２】
照明器具１は、常用電源（商用の電力系統など）から供給される常用電力で常用照明を行うとともに、常用電力で蓄電池（非常用電源８）を充電する。さらに、照明器具１は、常用電源９（図５参照）の停電時に蓄電池（非常用電源８）から供給される非常用電力で非常用照明を行う。なお、以下の照明器具１に関する説明においては、特に断りのない限り、図１に矢印で示す前後、上下及び左右の各方向を照明器具１の前後、上下及び左右の各方向と規定する。例えば、照明器具１の前方向とは、照明器具１が直付けされる壁面から垂直方向（壁面の法線方向）に沿って離れる方向である。
【００１３】
照明器具１は、図１〜図４に示すように、器具本体１０、カバー２、常用光源ユニット３、非常用光源ユニット４、常用点灯装置５、非常用点灯ブロック６、センサブロック７、非常用電源８、スイッチブロック１６を備える。
【００１４】
器具本体１０は、前面が開放された直方体状の筐体１１と、四角形の平板状に形成されて筐体１１の前面を塞ぐ蓋１２とを有する。筐体１１の内部に、非常用光源ユニット４、常用点灯装置５、非常用点灯ブロック６、センサブロック７、非常用電源８及びスイッチブロック１６が収容される（図２及び図３参照）。蓋１２の前面に常用光源ユニット３が取り付けられ、蓋１２の後面に常用点灯装置５が取り付けられる。
【００１５】
筐体１１は、正方形状の底壁１１０と、それぞれが長方形状に形成された上側壁１１１、下側壁１１２、左側壁１１３及び右側壁１１４を有する。上側壁１１１は、底壁１１０の上側の辺から前方へ突出する。下側壁１１２は、底壁１１０の下側の辺から前方へ突出する。左側壁１１３は、底壁１１０の左側の辺から前方へ突出する。右側壁１１４は、底壁１１０の右側の辺から前方へ突出する。なお、底壁１１０、左側壁１１３及び右側壁１１４は、金属板によって一体に形成されている。上側壁１１１及び下側壁１１２はそれぞれ、溶接などの適宜の方法によって底壁１１０、左側壁１１３及び右側壁１１４と接合されている。
【００１６】
左側壁１１３の前端から底壁１１０と平行に突片１１３０が突出している（図４参照）。突片１１３０の長手方向（上下方向）の中央に固定片１１３１が設けられている。また、突片１１３０の長手方向の両端に保持片１１３２が一つずつ設けられている。固定片１１３１は、Ｌ字形に形成されている。固定片１１３１の前面は、突片１１３０の前面よりも前方に位置している。さらに、固定片１１３１の長手方向の中央にねじ孔１１３３が設けられている。各保持片１１３２は、突片１１３０をＬ字形に切り起こして形成されている。したがって、上下方向から見ると、各保持片１１３２と突片１１３０の間に溝が形成されている（図３参照）。
【００１７】
右側壁１１４の前端から底壁１１０と平行に突片１１４０が突出している（図４参照）。突片１１４０の長手方向（上下方向）の中央に固定片１１４１が設けられている。また、突片１１４０の長手方向の両端に保持片１１４２が一つずつ設けられている。固定片１１４１は、Ｌ字形に形成されている。固定片１１４１の前面は、突片１１４０の前面よりも前方に位置している。さらに、固定片１１４１の長手方向の中央にねじ孔１１４３が設けられている。各保持片１１４２は、突片１１４０をＬ字形に切り起こして形成されている。したがって、上下方向から見ると、各保持片１１４２と突片１１４０の間に溝が形成されている（図３参照）。
【００１８】
蓋１２は、金属板によって正方形の平板状に形成されている。蓋１２の左右方向の両端における上下方向の中央に、固定部１２０が一つずつ設けられている（図１及び図４参照）。各固定部１２０は、蓋１２の一部がＣ字状に切り抜かれて形成されている。なお、各固定部１２０には、円形のねじ挿通孔１２１が貫通している（図４参照）。また、蓋１２の左右方向の中央における上部に長方形状の窓孔１２２が開口している。
【００１９】
蓋１２は、筐体１１の前面に被せられ、二つの固定部１２０のそれぞれが筐体１１の二つの固定片１１３１、１１４１に一つずつねじ止めされることによって筐体１１に取り付けられる。つまり、左側の固定部１２０のねじ挿通孔１２１に挿通されるねじが左側の固定片１１３１のねじ孔１１３３にねじ込まれ、右側の固定部１２０のねじ挿通孔１２１に挿通されるねじが右側の固定片１１４１のねじ孔１１４３にねじ込まれる。
【００２０】
カバー２は、正方形状の前板部２０と、長方形状の一対の側板部２１とを有する（図１参照）。一対の側板部２１は、前板部２０の左端及び右端から後方に向かって一つずつ突出している。なお、前板部２０と一対の側板部２１は、アクリル樹脂又はポリカーボネート樹脂などの透光性を有する合成樹脂によって一体に形成されている。なお、カバー２は、合成樹脂に拡散材が混入されることで光拡散性を有することが好ましい。
【００２１】
各側板部２１の後端には、Ｌ字状の差込片２１０がそれぞれ前板部２０と平行するように一体に形成されている（図３参照）。左側の側板部２１に設けられた差込片２１０は、器具本体１０の上方より、二つの保持片１１３２と突片１１３０の間の溝に差し込まれる。一方、右側の側板部２１に設けられた差込片２１０は、器具本体１０の上方より、二つの保持片１１４２と突片１１４０の間の溝に差し込まれる。つまり、カバー２は、各差込片２１０がそれぞれ二つの保持片１１３２、１１４２に保持されることによって、器具本体１０に着脱可能に取り付けられる（図３参照）。
【００２２】
常用光源ユニット３は、照明用白色ＬＥＤ（Light Emitting Diode）からなる第１ＬＥＤ３０、第１ＬＥＤ３０を支持するＬＥＤホルダ３１、第１ＬＥＤ３０から放射される光の配光を制御する第１レンズ３２を有する（図２参照）。常用光源ユニット３は、第１レンズ３２を前方から覆い、かつ、第１レンズ３２で配光制御された光（常用照明光）を拡散させるレンズカバー３３を更に有する（図１〜図３参照）。常用光源ユニット３は、器具本体１０の前面（蓋１２の前面）の中央に取り付けられる（図１〜図３）。
【００２３】
第１レンズ３２は、図２に示すように、ガラス（例えば、石英ガラス）のような透光性を有する材料からなるレンズ本体３２０及びフランジ３２１を備える。フランジ３２１は、円環状に形成されている。フランジ３２１は、レンズ本体３２０の側面における一端（後端）から外向きに突出している。第１レンズ３２は、フランジ３２１が蓋１２にねじ止めされることによって器具本体１０の前面中央に取り付けられる。
【００２４】
レンズカバー３３は、カバー本体３３０と、鍔部３３１とを有する。カバー本体３３０は、ドーム状に形成されている。カバー本体３３０は、第１レンズ３２を覆い隠すことのできる大きさに形成されている（図１〜図３参照）。鍔部３３１は、カバー本体３３０の周縁から外向きに突出する円環状に形成されている。カバー本体３３０と鍔部３３１は、アクリル樹脂又はポリカーボネート樹脂などの透光性を有する合成樹脂によって一体に形成されている。また、レンズカバー３３は、合成樹脂に混入される拡散材によって光拡散性を有している。レンズカバー３３は、鍔部３３１が蓋１２にねじ止めされることによって器具本体１０の前面中央に取り付けられる。
【００２５】
第１ＬＥＤ３０から放射される光は、第１レンズ３２によって配光制御される。第１レンズ３２で配光制御された光（常用照明光）は、器具本体１０の前方に向かって上下及び左右方向に広がるように進行する。ただし、常用照明光の少なくとも一部は、レンズカバー３３（のカバー本体３３０）を透過する際に拡散される。
【００２６】
非常用光源ユニット４は、照明用白色ＬＥＤからなる第２ＬＥＤ４０、第２ＬＥＤ４０を支持するＬＥＤホルダ４１、第２ＬＥＤ４０から放射される光の配光を制御する第２レンズ４２を有する（図１及び図２参照）。
【００２７】
第２レンズ４２は、第２ＬＥＤ４０から放射される光（非常用照明光）を広角に配光する。さらに、第２レンズ４２は、器具本体１０の前方向、下方向及び左右方向に非常用照明光を配光することが好ましい。
【００２８】
非常用光源ユニット４は、器具本体１０内の下部における左右方向の中央に収容される。ここで、器具本体１０の下側壁１１２の左右方向の中央には、器具本体１０の内部に向かって突出するように凹所１１５が形成されている（図１及び図２参照）。凹所１１５の底面に円形の孔が貫通している。また、凹所１１５の側面は円すい台の側面に相当する形状に形成されている。そして、第２レンズ４２の一部が孔を通して器具本体１０の外に突出している（図１及び図２参照）。したがって、第２レンズ４２から出射する光の一部は、凹所１１５の側面に反射されることになる。
【００２９】
常用点灯装置５は、系統電源などの常用電源９（図５参照）から供給される交流電力を直流電力に電力変換し、当該直流電力を第１ＬＥＤ３０に供給して第１ＬＥＤ３０を点灯させる。常用点灯装置５は、金属製の第１のケース５１を有する（図２及び図３参照）。第１のケース５１は、直方体状に形成されて第１のプリント回路５０を収容している（図３参照）。第１のプリント回路５０は、電力変換を行う電力変換回路、第１ＬＥＤ３０に供給する直流電流を定電流化する定電流回路などを構成している。常用点灯装置５は、蓋１２の後面に第１のケース５１がねじ止めされることで器具本体１０の前壁（蓋１２）に取り付けられる（図２〜図４参照）。
【００３０】
非常用電源８は、例えば、複数本の蓄電池を有する。複数本の蓄電池はそれぞれ、例えば、乾電池型のニッケル水素蓄電池である。これら複数本の蓄電池は、例えば、熱収縮チューブによって保持される。
【００３１】
スイッチブロック１６は、合成樹脂製のハウジング１６０内に回路基板を収容して構成されている（図４参照）。当該回路基板には、二つの押しボタンスイッチ、モニタランプ、赤外線受光素子などが実装されている。モニタランプは、例えば、緑色光を放射するＬＥＤチップを有している。赤外線受光素子は、赤外線を通信媒体とする制御信号を受信（受光）し、受信した制御信号から送信フレームを復調するように構成されている。この制御信号は、定期点検の作業を行う作業者に操作されるリモートコントローラから送信される。
【００３２】
ハウジング１６０は、合成樹脂材料によって箱状に形成されている。ハウジング１６０の下面に四つの孔が開口している。これら四つの孔のうちの二つの孔に操作部材１６１が一つずつはめ込まれている（図１及び図４参照）。これら二つの操作部材１６１は、ハウジング１６０の下面に対して押し込み可能となるようにハウジング１６０に支持されている。したがって、一方の操作部材１６１が押し込まれると一方の押しボタンスイッチがオンされ、他方の操作部材１６１が押し込まれると他方の押しボタンスイッチがオンされる。また、残り二つの孔に、モニタランプと赤外線受光素子がそれぞれ一対一で対向している。つまり、モニタランプから放射される緑色光が一方の孔を通してハウジング１６０の外に出射される。また、リモートコントローラから送信される制御信号が他方の孔を通して赤外線受光素子で受信（受光）される。
【００３３】
センサブロック７は、センサ装置７０と制御装置７１を有する（図２及び図４参照）。
【００３４】
センサ装置７０は、ドップラー効果を利用した電波式センサである。センサ装置７０は、送信アンテナからマイクロ波帯（２４ＧＨｚ帯）の無変調連続波の電波（送信波）を送信し、物体に反射した電波（反射波）を受信アンテナで受信する。送信波が移動体で反射した場合、ドップラー効果によって送信波と反射波の間に移動体の移動速度に応じた周波数差が生じる。センサ装置７０は、前記周波数差に基づいて移動体（主に階段を昇降する人であるが、人によって開閉される階段室の扉も含まれる。）の存在を検出する。センサ装置７０は、移動体の存在を検出しているときに制御装置７１に検出信号を出力する。ただし、センサ装置７０は、周波数変調された送信波を送信アンテナから送信させ、受信アンテナで受信する受信波と送信波を乗算して位相検波することにより、送信波を反射した物体までの距離を測距して人の存在を検出してもよい。
【００３５】
センサ装置７０は、送信アンテナ、受信アンテナ及び信号処理回路を含むセンサ回路と、センサ回路を収容する外郭７００とを有する（図２参照）。センサ回路は、送信アンテナ、受信アンテナ及び信号処理回路が１枚のプリント配線板に実装されたプリント回路で構成される。外郭７００は、合成樹脂材料によって直方体状に形成されている。センサ回路は、送信アンテナ及び受信アンテナを外郭７００の前面に対向させるように外郭７００内に収容されている。つまり、送信アンテナから送信される電波は、外郭７００の前面を通して放射される。同様に、物体に反射した電波（反射波）は、外郭７００の前面を通して受信アンテナに受信される。
【００３６】
制御装置７１は、例えば、マイクロコントローラを有している。制御装置７１は、第１信号線７５を介してセンサ装置７０と電気的に接続されている（図４参照）。制御装置７１は、センサ装置７０から第１信号線７５を介して検出信号が入力されていない場合、常用点灯装置５に制御信号（第２調光信号）を出力して第１ＬＥＤ３０に供給する電流を定格値よりも少ない値（例えば、定格値の半分の値）とする。一方、制御装置７１は、センサ装置７０から第１信号線７５を介して検出信号が入力されている場合、常用点灯装置５に制御信号（第１調光信号）を出力して第１ＬＥＤ３０に供給する電流を定格値とする。なお、制御装置７１は、センサ装置７０から検出信号が入力されなくなった時点から所定時間が経過するまで第１調光信号の出力を遅らせることにより、第１ＬＥＤ３０に供給する電流を定格値に維持することが好ましい。
【００３７】
また、制御装置７１は、自動火災報知設備の受信機から外部信号線７６（図４参照）を介して火災報知信号を受信した場合、センサ装置７０の検出信号の入力の有無に関係なく、常用点灯装置５に第１制御信号を出力することが好ましい。火災報知信号は、例えば、交流１００Ｖの電圧信号である。すなわち、自動火災報知設備の受信機は、火災を感知したときに、外部信号線７６の線間電圧を０Ｖに変化させることで火災報知信号を送信すればよい。
【００３８】
制御装置７１は、マイクロコントローラなどをプリント配線板に実装して構成されるプリント回路７１０と、プリント回路７１０を収容するケース７１１とを有する（図２参照）。ケース７１１は、金属板によって直方体状に形成されている。ケース７１１は、固定板７２に固定される。固定板７２は、金属板によって平板状に形成されている（図２〜図４参照）。固定板７２は、筐体１１の底壁１１０の前面における上部にねじ止めされる。
【００３９】
一方、センサ装置７０の外郭７００は、取付台７３に取り付けられる（図２〜図４参照）。取付台７３は、固定板７２に固定される第１板７３１と、第１板７３１の上端から前方へ突出する第２板７３２と、第２板７３２の上端から斜め上向きに突出する第３板７３３とを有する（図２参照）。第１板７３１及び第３板７３３はそれぞれ、四角形の平板状に形成されている。第２板７３２は、左右方向から見てＬ字形に形成されている。ただし、第１板７３１、第２板７３２及び第３板７３３は、１枚の金属板が曲げ加工されることで一体に形成されている。取付台７３は、固定板７２の左右方向の中央における制御装置７１の下に第１板７３１がねじ止めされて固定板７２に固定される。第３板７３３は、制御装置７１の前方に位置する（図２参照）。
【００４０】
センサ装置７０の外郭７００は、第３板７３３の前面に取り付けられる。ここで、第３板７３３は、第１板７３１に対して、所定の傾き角だけ前方に傾いている（図２参照）。したがって、器具本体１０が階段室の壁面に設置される場合、センサ装置７０の前面（外郭７００の前面）は、壁面の法線方向（水平方向）に対して傾き角だけ下方に傾くことになる。なお、この傾き角は、例えば、２３°から２４°程度が好ましい。
【００４１】
センサ装置７０の前端部分は、器具本体１０の前面（蓋１２）に設けられた窓孔１２２を通して器具本体１０の前面よりも前方へ突出する（図１及び図２参照）。つまり、センサ装置７０は、金属製の蓋１２に遮られることなく、電波を送受信することができる。
【００４２】
非常用点灯ブロック６は、第２のプリント回路６０と、第２のプリント回路６０を収容する第２のケース６１とを有する（図３参照）。第２のケース６１は、金属板によって直方体状に形成されている。
【００４３】
第２のプリント回路６０は、充電装置と第２の点灯装置を構成している。充電装置は、常用電源９から供給される交流電力を直流電力に変換し、変換した直流電力によって非常用電源８を充電する。第２の点灯装置は、常用電源９の停電時に、非常用電源８から供給される直流電力によって非常用光源ユニット４の第２ＬＥＤ４０を点灯させる。さらに、第２の点灯装置は、スイッチブロック１６の二つの押しボタンスイッチのいずれかがオンしたとき、充電装置に非常用電源８の充電を中止させ、かつ、非常用光源ユニット４の第２ＬＥＤ４０を点灯させる。ただし、第２の点灯装置は、一方の押しボタンスイッチがオンしている間だけ第２ＬＥＤ４０を点灯させる。第２の点灯装置は、他方の押しボタンスイッチがオンされると自己点検を開始し、所定時間（３０分又は６０分）が経過するまで第２ＬＥＤ４０を点灯させる。なお、第２の点灯装置は、スイッチブロック１６の赤外線受光素子が制御信号を受信した場合も前記自己点検を開始する。
【００４４】
非常用光源ユニット４、非常用点灯ブロック６、非常用電源８及びスイッチブロック１６は、一枚の取付板１３に取り付けられて筐体１１に収容される（図４参照）。取付板１３は、第１取付部１３１、第２取付部１３２及び第３取付部１３３を有している。第１取付部１３１、第２取付部１３２及び第３取付部１３３はそれぞれ、金属板によって長方形の平板状に形成されている。第２取付部１３２は、第１取付部１３１の長手方向（左右方向）の一方の端部（左端部）から第１取付部１３１の短手方向（上下方向）に沿って突出している。また、第３取付部１３３は、第１取付部１３１の長手方向の他方の端部（右端部）から第１取付部１３１の短手方向に沿って突出している。つまり、取付板１３は、第２取付部１３２と第３取付部１３３の間に溝１３４を有し、前方から見てＵ字状に形成されている。
【００４５】
ここで、器具本体１０の後面、すなわち、筐体１１の底壁１１０の左右方向の中央に、円形の電線孔１１６と、長円形の三つの取付孔１１７とが設けられている（図４参照）。電線孔１１６は、底壁１１０の左右方向の中央かつ上下方向の中央に相当する位置に設けられている。底壁１１０における電線孔１１６の上方に一つの取付孔１１７が設けられ、底壁１１０における電線孔１１６の下方に二つの取付孔１１７が設けられている。
【００４６】
取付板１３は、底壁１１０に設けられた電線孔１１６及び三つの取付孔１１７を、前後方向において溝１３４と重なるように底壁１１０にねじ止めされている（図４参照）。そして、非常用点灯ブロック６は、第２のケース６１の長手方向を上下方向に一致させる向きで第１取付部１３１及び第２取付部１３２の前面に取り付けられる。非常用電源８は、第３取付部１３３の前面に取り付けられる。つまり、非常用点灯ブロック６と非常用電源８は、前方から見て、電線孔１１６を挟んで隣り合うように器具本体１０に収容されている（図４参照）。また、非常用光源ユニット４は、Ｌ字形の金具４３を介して第１取付部１３１の左右方向の中央における下部に取り付けられる。さらに、スイッチブロック１６は、第１取付部１３１の下部における右端に取り付けられる。なお、第２取付部１３２における非常用点灯ブロック６の上方に二つの電源端子台（第１電源端子台１８Ａ及び第２電源端子台１８Ｂ）が上下方向に並べて取り付けられている（図２及び図４参照）。
【００４７】
第１電源端子台１８Ａ及び第２電源端子台１８Ｂはそれぞれ、２極の入力端子と、２極の出力端子と、２極の入力端子及び２極の出力端子を収容するハウジング１８０とを有する。ハウジング１８０の右側面には、第１極の入力端子用の二つの電線挿入孔１８１と、第２極の入力端子用の二つの電線挿入孔１８２とが設けられている（図２参照）。また、ハウジング１８０の左側面には、第１極の出力端子用の二つの電線挿入孔と、第２極の出力端子用の二つの電線挿入孔とが設けられている。なお、第１電源端子台１８Ａの第２極の入力端子と第２電源端子台１８Ｂの第１極の入力端子は電線１８８を介して電気的に接続されている。
【００４８】
第１電源端子台１８Ａの出力端子は、常用点灯装置５の電源入力端子、非常用点灯ブロック６の電源入力端子及び制御装置７１の電源入力端子と、それぞれ電線１８５、１８６、１８７を介して電気的に接続される（図４参照）。また、第２電源端子台１８Ｂの出力端子は、常用点灯装置５の電源入力端子と電線１８５を介して電気的に接続され、制御装置７１の電源入力端子と電線１８７を介して電気的に接続される。さらに、第１電源端子台１８Ａの入力端子には、電線孔１１６から導入される電線１７（常用電源９からの給電用の電線）が電気的に接続される（図４参照）。さらに、電線孔１１６からは、火災報知信号が伝送される外部信号線７６も導入される。外部信号線７６は、固定板７２の前面に取り付けられた第２信号端子台１９Ｂの入力端子と電気的に接続される。なお、第２信号端子台１９Ｂの出力端子は第３信号線７７によって制御装置７１と電気的に接続される。ただし、制御装置７１に火災報知信号との連動を行わせない場合、外部信号線７６は不要である。この場合、第１電源端子台１８Ａ及び第２電源端子台１８Ｂのそれぞれの入力端子の第１極が第２信号端子台１９Ｂの入力端子と電気的に接続され、第２信号端子台１９Ｂが送り配線用の端子台として使用されてもよい。
【００４９】
ここで、常用点灯装置５は、蓋１２の後面において、蓋１２の中央から左に寄った位置に取り付けられている（図４参照）。したがって、蓋１２が筐体１１に取り付けられて器具本体１０が組み立てられた状態では、常用点灯装置５と非常用点灯ブロック６が器具本体１０の前後方向から見て重なるように器具本体１０に収容される（図２及び図３参照）。その結果、器具本体１０内において、底壁１１０の中央に設けられている電線孔１１６の周囲に比較的に広い空間（スペース）が形成されることになる（図３参照）。
【００５０】
したがって、電線孔１１６の周囲に比較的に広いスペースが形成されているため、電線孔１１６から引き込んだ電線１７を第１電源端子台１８Ａの入力端子に電気的に接続する作業（結線作業）の作業性の向上を図ることができる。さらに、電線孔１１６から引き込んだ外部信号線７６を第２信号端子台１９Ｂの入力端子に電気的に接続する作業の作業性の向上も図ることができる。しかも、常用光源ユニット３が器具本体１０の前壁（蓋１２）の前面に取り付けられているので、蓋１２の後面から常用光源ユニット３が突出しない（図２及び図３参照）。その結果、器具本体１０内において、常用点灯装置５の右側に十分な空間（スペース）を確保することができる。
【００５１】
さらに、常用点灯装置５の第１のケース５１及び非常用点灯ブロック６の第２のケース６１の各々の長手方向を互いに一致させている（図２参照）。そのため、器具本体１０内において常用点灯装置５及び非常用点灯ブロック６の右側に十分なスペースを確保しつつ器具本体１０の横幅（左右方向の幅）の大型化を防ぐことができる。
【００５２】
また、照明器具１では、器具本体１０の底壁１１０において、前後方向から見て、非常用電源８と非常用点灯ブロック６が電線孔１１６を挟んで隣り合う位置に配置されている。したがって、照明器具１は、非常用電源８と非常用点灯ブロック６を電線孔１１６から見て器具本体１０内の同じ側に配置した場合と比較して、器具本体１０の前後方向の高さ及び上下方向の高さの増大を抑えて器具本体１０の大型化を防ぐことができる。
【００５３】
ここで、照明器具１は、非常用光源ユニット４、非常用点灯ブロック６、スイッチブロック１６及び非常用電源８が取り付けられる取付板１３を備えている。そのため、非常用光源ユニット４、非常用点灯ブロック６、スイッチブロック１６及び非常用電源８を個別に器具本体１０の底壁１１０などに取り付ける場合と比べて、照明器具１の組立作業の作業性向上を図ることができる。
【００５４】
ところで、常用点灯装置５と常用光源ユニット３の第１ＬＥＤ３０は、第１電気ケーブル５２によって電気的に接続される。また、常用点灯装置５と制御装置７１は、第１信号端子台１９Ａを中継して信号線５３及び第２信号線７４介して電気的に接続される。したがって、制御装置７１から出力される調光信号（第１調光信号及び第２調光信号）は、信号線５３及び第２信号線７４を介して制御装置７１に入力される。なお、第１信号端子台１９Ａは、センサブロック７の取付台７３に取り付けられる（図２〜図４参照）。非常用点灯ブロック６と非常用光源ユニット４、スイッチブロック１６及び非常用電源８とは、第２電気ケーブル６２、第３電気ケーブル６３及び第４電気ケーブル６４によって電気的に接続される。これらの第１電気ケーブル５２、第２電気ケーブル６２、第３電気ケーブル６３及び第４電気ケーブル６４も器具本体１０内に形成されているスペースに収容可能である。
【００５５】
続いて、実施形態に係る照明器具１の変形例について、図６を参照して説明する。変形例の照明器具１は、カバー２が正方形の板状に形成されている点が実施形態に係る照明器具１と異なる。
【００５６】
カバー２は、正方形の板状に形成されている。カバー２は、二つの支持部２３によって器具本体１０に取り付けられる。二つの支持部２３の各々は、台形状の支持片２３０と、支持片２３０の前端から突出する取付片２３１と、支持片２３０の後端から突出して器具本体１０に固定される固定片とを有する。各支持部２３は、蓋１２の左右両端における上下方向の中央から支持片２３０及び取付片２３１を器具本体１０の前方へ突出させる。なお、各支持部２３の固定片は、器具本体１０内において底壁１１０にねじ止めされることが好ましい。各取付片２３１には、背面側からボルトが取り付けられている。各取付片２３１に取り付けられたボルトがカバー２の左右両端に貫通する二つの貫通孔にそれぞれ１本ずつ通される。そして、カバー２の前面から突出する２本のボルトのそれぞれに、つまみナット２４が締め付けられることにより、カバー２が二つの支持部２３に支持される。
【００５７】
上述のように第１の態様に係る照明器具（１）は、第１の光源（第１ＬＥＤ３０）と、第２の光源（第２ＬＥＤ４０）と、第１の光源を点灯させる第１の点灯装置（常用点灯装置５）と、第２の光源を点灯させる第２の点灯装置（非常用点灯ブロック６）とを備える。第１の態様に係る照明器具（１）は、第２の光源、第１の点灯装置及び第２の点灯装置を収容する器具本体（１０）を備える。器具本体（１０）は、造営面に取り付けられる底壁（１１０）と、底壁（１１０）の前方に配置される前壁（蓋１２）と、底壁（１１０）の周縁と前壁の周縁をつなぐ一つ以上の側壁（上側壁１１１、下側壁１１２、左側壁１１３、右側壁１１４）とを有する。底壁（１１０）は、外部の電源と第１の点灯装置及び第２の点灯装置をそれぞれ電気的に接続するための電線（１７）が導入される電線孔（１１６）を有する。第１の光源は、前壁に取り付けられる。第１の点灯装置は、前壁の後面に取り付けられる。第２の点灯装置は、器具本体（１０）の前後方向から見て第１の点灯装置と重なるように器具本体（１０）に収容されている。電線孔（１１６）は、底壁（１１０）において、器具本体（１０）の前後方向から見て第１の点灯装置及び第２の点灯装置と重ならない位置に設けられている。
【００５８】
第１の態様に係る照明器具（１）は、電線孔（１１６）の周囲に比較的に広いスペースが形成されるため、電線孔（１１６）から引き込んだ電線（１７）を第１の点灯装置及び第２の点灯装置に結線する作業（結線作業）の作業性の向上を図ることができる。
【００５９】
第２の態様に係る照明器具（１）は、第１の態様との組合せにより実現され得る。第２の態様に係る照明器具（１）において、第１の光源は、前壁の前面に取り付けられることが好ましい。
【００６０】
第２の態様に係る照明器具（１）は、器具本体（１０）における前壁の後方に第１の光源が突出しないので、器具本体（１０）内の結線作業のスペースを更に広げることができる。
【００６１】
第３の態様に係る照明器具（１）は、第１又は第２の態様との組合せにより実現され得る。第３の態様に係る照明器具（１）において、第１の点灯装置は、第１のプリント回路（５０）と、第１のプリント回路（５０）を収容する第１のケース（５１）とを有することが好ましい。第２の点灯装置は、第２のプリント回路（６０）と、第２のプリント回路（６０）を収容する第２のケース（６１）とを有することが好ましい。第１のケース（５１）及び第２のケース（６１）はそれぞれ箱状に形成されていることが好ましい。第１のケース（５１）と第２のケース（６１）は、互いの長手方向をそろえるように器具本体（１０）に収容されていることが好ましい。
【００６２】
第３の態様に係る照明器具（１）は、第１のケース（５１）及び第２のケース（６１）の短手方向にスペースを確保しつつ器具本体（１０）の大型化を防ぐことができる。
【００６３】
第４の態様に係る照明器具（１）は、第１〜第３のいずれかの態様との組合せにより実現され得る。第４の態様に係る照明器具（１）において、器具本体（１０）に収容され、かつ、第２の点灯装置を介して第２の光源に給電する蓄電装置（非常用電源８）を備えることが好ましい。蓄電装置は、底壁（１１０）において、前後方向から見て、電線孔（１１６）を挟んで第２の点灯装置と隣り合う位置に配置されていることが好ましい。
【００６４】
第４の態様に係る照明器具（１）は、第２の点灯装置と蓄電装置を電線孔（１１６）から見て器具本体（１０）の同じ側に配置した場合と比較して、器具本体（１０）の前後方向の高さ及び上下方向の高さの増大を抑えて大型化を防ぐことができる。
【００６５】
第５の態様に係る照明器具（１）は、第１〜第４の態様のいずれかとの組合せにより実現され得る。第５の態様に係る照明器具（１）は、第２の光源及び第２の点灯装置が前面に取り付けられる取付板（１３）を備えることが好ましい。取付板（１３）は、底壁（１１０）に取り付けられることが好ましい。
【００６６】
第５の態様に係る照明器具（１）は、第２の光源及び第２の点灯装置を個別に底壁（１１０）に取り付ける場合に比べて、組立作業の作業性向上を図ることができる。
【符号の説明】
【００６７】
１  照明器具
５  常用点灯装置
６  非常用点灯ブロック（第２の点灯装置）
８  非常用電源（蓄電装置）
１０  器具本体
１２  蓋（前壁）
１３  取付板
１７  電線
３０  第１ＬＥＤ（第１の光源）
４０  第２ＬＥＤ（第２の光源）
５０  第１のプリント回路
５１  第１のケース
６０  第２のプリント回路
６１  第２のケース
１１０  底壁
１１１  上側壁（側壁）
１１２  下側壁（側壁）
１１３  左側壁（側壁）
１１４  右側壁（側壁）
１１６  電線孔
【図１】
2020173994.tif 000003
【図２】
2020173994.tif 000004
【図３】
2020173994.tif 000005
【図４】
2020173994.tif 000006
【図５】
2020173994.tif 000007
【図６】
2020173994.tif 000008